(57)【要約】【課題】  マナーモードの解除を簡単且つ誤りなく行えるようにすること。【解決手段】  携帯電話１０１のマナーモード制御部１０５が操作部１１０の操作に応答して報知部１０７をマナーモードに設定した状態で、データ識別部１０９が所定時間内に通信部１０２で受信した第１メール１１２と第２メール１１３が所定の解除条件を満たすと判断したとき、マナーモード制御部１０５は、報知部１０７のマナーモードを強制的に解除して非マナーモードに切り換える。【選択図】  図１
2010103899.tif 000002
【特許請求の範囲】
【請求項１】
先の着信を受信した後、所定時間内にマナーモード解除用メールを受信したとき、報知手段のマナーモードを解除して非マナーモードに切り換えることを特徴とする携帯端末のマナーモード解除方法。
【請求項２】
前記先の着信時の応答メッセージに対する所定の音声メッセージを受信し、前記音声メッセージに所定のキーワードが含まれているとき前記マナーモードを解除可能な状態にし、前記マナーモードの解除可能な状態から所定時間内に前記マナーモード解除用メールを受信したとき、前記報知手段のマナーモードを解除して非マナーモードに切り換えることを特徴とする請求項１記載の携帯端末のマナーモード解除方法。
【請求項３】
前記先の着信時に受信した着もじに所定文字が含まれている場合に、前記報知手段のマナーモードを解除可能な状態にし、前記マナーモードの解除可能な状態から所定時間内に前記マナーモード解除用メールを受信したとき、前記報知手段のマナーモードを解除して非マナーモードに切り換えることを特徴とする請求項１記載の携帯端末のマナーモード解除方法。
【請求項４】
前記先の着信はメールの受信であり、前記先のメールと前記マナーモード解除用メールが所定の解除条件を満たすとき、前記報知手段のマナーモードを解除して非マナーモードに切り換えることを特徴とする請求項１記載の携帯端末のマナーモード解除方法。
【請求項５】
通話及びメールを受信する受信手段と、
着信を音によって報知する非マナーモードと着信を音では報知しないマナーモードのいずれかの動作モードをとる報知手段と、
前記報知手段をマナーモードと非マナーモードに切り換え制御するマナーモード制御手段とを備え、
前記マナーモード制御手段は、前記受信手段が先の着信を受信した後、所定時間内にマナーモード解除用メールを受信したとき、前記報知手段のマナーモードを解除して非マナーモードに切り換えることを特徴とする携帯端末。
【請求項６】
前記マナーモード制御手段は、
着信に応答して所定の応答メッセージを送信する送信手段と、前記送信手段から前記所定の応答メッセージを送信後、前記応答メッセージに対する応答として受信した音声メッセージメッセに所定のキーワードが含まれているとき、前記マナーモードを解除可能な状態にする解除許可手段と、前記解除許可手段がマナーモードを解除可能な状態にしてから所定時間内に前記マナーモード解除用メールを受信したとき、前記報知手段のマナーモードを解除して非マナーモードに切り換える解除手段とを備えて成ることを特徴とする請求項５記載の携帯端末。
【請求項７】
前記受信手段は着もじ付きの電話着信を受信すると共に、
前記マナーモード制御手段は、前記受信手段が受信した着もじに所定文字が含まれているか否かを解析して所定文字が含まれている場合にマナーモードを解除可能な状態にする解除許可手段と、前記解除許可手段がマナーモードを解除可能な状態にしてから所定時間内に前記マナーモード解除用メールを受信したとき、前記報知手段のマナーモードを解除して非マナーモードに切り換える解除手段とを備えて成ることを特徴とする請求項５記載の携帯端末。
【請求項８】
前記受信手段は前記先の着信としてメールを受信し、
前記マナーモード制御手段は、前記先のメールと前記マナーモード解除用メールが所定の解除条件を満たすとき、前記報知手段のマナーモードを解除して非マナーモードに切り換えることを特徴とする請求項５記載の携帯端末。
【発明の詳細な説明】
【技術分野】
【０００１】
本発明は、携帯電話等の携帯端末のマナーモードを解除するマナーモード解除方法及び携帯端末に関する。
【背景技術】
【０００２】
従来から、携帯電話等の携帯端末においては、音声通信のみならずメール通信を行えるように構成されている。
前記携帯端末は、着信したとき、着信を音によって報知するモード（非マナーモード）と、着信を音によっては報知しないモード（マナーモード）とを備えている。
前記携帯端末では、通常の使用状態では非マナーモードに設定しておき、着信の際にスピーカからメロディ等の音を鳴らすことによって着信を報知する。
【０００３】
また、映画館等のように報知音を鳴動させてはならないような場所では、光や振動等の音以外の手段によって報知したり、あるいは報知動作を行わないようにしたマナーモードに設定しておき、着信の際には光や振動による報知あるいは非報知動作を行うように構成されている。
これにより、携帯端末の使用環境に応じた報知動作を選択することができるように構成されている。
【０００４】
しかしながら、携帯情報端末をマナーモード設定した状態でバッグ内に収納している等の場合、メール受信を気付かずに見逃すという事象が多々発生するという問題がある。
これを解決する方法として、自動的にマナーモードを解除する方法が考えられる。
例えば、特許文献１に記載された発明は、マナーモードに設定した状態でコール回数が、マナーモード強制解除用コール回数メモリ部に設定された回数になると、強制的にマナーモードを解除するように構成されている。
【０００５】
係る構成によって強制的にマナーモードを解除することは可能であるが、マナーモード強制解除用コール回数メモリ部に設定された所定回数が少ない場合には、簡単にマナーモードが解除されることになるため、劇場内等のような本来であれば解除されてはならない環境下でマナーモードが解除されてしまい、周囲に迷惑をかける恐れがある。その一方、マナーモード強制解除用コール回数メモリ部に設定された所定回数が多い場合には、マナーモードが解除され難くなるため、所在不明になった携帯端末を探す場合等に不便である。
【０００６】
また、特許文献２に記載された発明は、予め登録された発信元からの着信の回数が所定時間内に所定回数に達した場合に動作モードを切り換えるように構成されている。この発明をマナーモードの切り換えに適用した場合、発信元から所定時間内に所定回数発信させる必要があるため、前記所定時間と所定回数の設定によっては、あまりにも簡単に切り換わるため、切り換えを意図しないにも拘わらず動作モードが切り換わってしまう恐れがある。その一方、前記所定時間と所定回数の設定によっては、簡単に切り換わらないため、切り換え操作が極めて煩雑になるという問題がある。
【０００７】
【特許文献１】特開２００２−１２５００９号公報
【特許文献２】特開２００７−２０８４２６号公報
【発明の開示】
【発明が解決しようとする課題】
【０００８】
本発明は、上記問題点に鑑み成されたもので、マナーモードの解除を簡単且つ誤りなく行えるようにすることを課題としている。
【課題を解決するための手段】
【０００９】
本発明によれば、先の着信を受信した後、所定時間内にマナーモード解除用メールを受信したとき、報知手段のマナーモードを解除して非マナーモードに切り換えることを特徴とする携帯端末のマナーモード解除方法が提供される。
先の着信を受信した後、所定時間内にマナーモード解除用メールを受信したとき、報知手段のマナーモードを解除して非マナーモードに切り換える。
【００１０】
また、本発明によれば、通話及びメールを受信する受信手段と、着信を音によって報知する非マナーモードと着信を音では報知しないマナーモードのいずれかの動作モードをとる報知手段と、前記報知手段をマナーモードと非マナーモードに切り換え制御するマナーモード制御手段とを備え、前記マナーモード制御手段は、前記受信手段が先の着信を受信した後、所定時間内にマナーモード解除用メールを受信したとき、前記報知手段のマナーモードを解除して非マナーモードに切り換えることを特徴とする携帯端末が提供される。
マナーモード制御手段は、受信手段が先の着信を受信した後、所定時間内にマナーモード解除用メールを受信したとき、報知手段のマナーモードを解除して非マナーモードに切り換える。
【発明の効果】
【００１１】
本発明に係る携帯端末のマナーモード解除方法によれば、マナーモードの解除を簡単且つ誤りなく行うことが可能になる。
また、本発明に係る携帯端末によれば、マナーモードの解除を簡単且つ誤りなく行うことが可能になる。
【発明を実施するための最良の形態】
【００１２】
図１は、本発明の第１の実施の形態に係る携帯端末のマナーモード解除方法に使用する携帯端末のブロック図で、携帯端末の例として携帯電話１０１の例を示している。
図１において、携帯電話１０１は、音声やメール等の送信や受信を行う通信部１０２、通信部１０２が受信したデータの解析を行うデータ解析部１０３、データ解析部１０３が解析したデータを保存するデータ保存部１０４、着信やメール受信を報知する報知部１０７、データ解析部１０３により解析されたデータとデータ保存部１０４に保存したデータを比較して判別するデータ識別部１０９、報知部１０７の動作モードをマナーモード又は非マナーモードのいずれかに設定するマナーモード制御部１０５を備えている。
【００１３】
また、携帯電話１０１は、報知部１０７がマナーモードに設定されているか否かの設定状態、キーワード、設定時間等を記憶する記憶部１０６、所定時間が経過したか否かを計時するタイマ１０８、マイクやスピーカを有し受話及び送話を行う送受話部１１１、複数のキースイッチを有する操作部１１０を備えている。
送受話部１１１はマイク及びスピーカを備えている。
報知部１０７は、音声着信やメール受信を音によって報知する音報知手段、音声着信やメール受信を音以外の方法（例えば、光や振動）によって報知する音以外報知手段を備えている。
【００１４】
報知部１０７は、マナーモードの状態で報知する場合には、音以外の光や振動等の方法により音以外報知手段によって報知する。報知部１０７は、マナーモード以外（非マナーモード）の状態で報知する場合には、音によって報知する。また、報知部１０７は、非マナーモードの状態で、報知しないように設定されている場合には音声着信やメール受信時に報知しない。
尚、通信部１０２は受信手段を構成し、報知部１０７は報知手段を構成し、記憶部１０６は記憶手段を構成している。また、データ解析部１０３、データ保存部１０４、マナーモード制御部１０５、タイマ１０８及びデータ識別部１０９はマナーモード制御手段を構成している。
【００１５】
以上のように構成された携帯端末を用いてマナーモードを解除する方法について説明する。
ユーザは、操作部１１０を操作することによって、携帯電話１０１のマナーモードの設定状態をオンとし、これに合わせてマナーモードを解除するための解除条件として、キーワードと所定時間を設定する。
【００１６】
マナーモード制御部１０５は、操作部１１０から入力されたマナーモードをオンにする指示に応答して、報知部１０７の動作をマナーモードに設定すると共に、当該設定状態を記憶部１０６に記憶する。また同時に、マナーモード制御部１０５は、操作部１１０から入力されたキーワード及び所定時間を記憶部１０６に記憶する。前記キーワードはマナーモードを解除するためのキーワードであり、又、前記所定時間は複数のメールの受信間隔であり、マナーモード制御部１０５は、先のメール（第１メール）１１２の受信から後のメール（第２メール）１１３を受信するまでの時間が前記所定時間内のとき報知部１０７のマナーモードを解除するように制御動作する。尚、第２メール１１３がマナーモード解除用メールである。正規のメール１１２と正規のマナーモード解除用メール１１３にはメールデータとして、題名あるいは本文にキーワードが含まれている。
【００１７】
この状態で、携帯電話１０１は通信部１０２により、第１メール１１２を受信する。データ解析部１０３は、受信したメール１１２から、メールの送信者アドレス、題名、本文を解析し、データ保存部１０４へ保存する。データ識別部１０９がメール１１２に含まれるキーワードを記憶部１０６に記憶されているキーワードとが一致する判断すると、マナーモード制御部１０５は、タイマ１０８の計時動作をスタートさせる。
続いて通信部１０２が第２メール１１３を受信すると、前記同様にデータ解析部１０３により、メールの送信者アドレス、題名、本文を解析する。
【００１８】
データ識別部１０９が、データ保存部１０４に記憶した第１メール１１２に関するデータと前記解析した第２メール１１３に関するデータとの関係が所定の解除条件（具体的には後述する条件）を満たすと認識した場合、マナーモード制御部１０５は、報知部１０７に関してオンに設定したマナーモードを強制的にオフとしてマナーモードを解除して非マナーモードに移行させる。
【００１９】
前述したマナーモードを解除する所定の解除条件の例としては、メールの送信者アドレスが同一であること、メールの題名が同一であること、メールのデータ本文に記憶部１０６に設定したキーワードが含まれること、タイマ１０８の経過時間が前記設定時間内であることが挙げられる。マナーモードの解除条件を緩やかにするか厳しくするかに応じて、前記条件の内の少なくとも１つを解除条件として設定する（前記条件の内の１つを解除条件として設定する、あるいは、前記条件の内の複数の条件のＡＮＤ条件を解除条件として設定する）ように適宜選定することができる。
【００２０】
例えば、所定時間内に受信した前記２つのメールに関する情報（例えば、２つのメールの送信者アドレス、２つのメールの題名、２つのメールに含まれるキーワードの中の少なくとも１つの情報）が一致する場合に、解除条件が満たされたと判定してマナーモードを解除するようにすることができる。このとき、前記２つのメールに含まれるキーワードが一致することを条件とする場合、前記キーワードは記憶部１０６に予め記憶したキーワードと同じでなければならないようにする。
【００２１】
以上説明したように本発明の第１の実施の形態に係る携帯端末のマナーモード解除方法、携帯端末によれば、先の着信を受信した後、所定時間内にマナーモード解除用メール１１３を受信したとき、報知部１０７のマナーモードを解除して非マナーモードに切り換える場合に、前記先の着信はメールの受信であり、前記先のメールと前記マナーモード解除用メールが所定の解除条件を満たすとき、報知部１０７のマナーモードを強制的に解除して非マナーモードに切り換えるようにしている。
【００２２】
また、携帯電話１０１のマナーモード制御部１０５が操作部１１０の操作に応答して報知部１０７をマナーモードに設定した状態で、データ識別部１０９が所定時間内に通信部１０２で受信した第１メール１１２と第２メールが所定の解除条件を満たすと判断したとき、マナーモード制御部１０５は、報知部１０７のマナーモードを強制的に解除して非マナーモードに切り換えるように構成している。
【００２３】
したがって、重要な要件を伝えたいユーザは、送信先携帯電話に対して、解除条件を満たすように複数のメールを送信する（例えば、所定の時間内に、あらかじめ指定された文字列が含まれるメールを連続して送信する）ことにより、受信する携帯電話１０１のマナーモードを強制的に、簡単且つ誤りなく解除して非マナーモードにすることができ、それ以降のメール受信の見逃し等を防止することができる。
【００２４】
また、携帯電話１０１のマナーモードを条件付きで外部からのトリガにより強制解除することが可能になる。
更に、解除条件を、予め指定した文字列（キーワード）が含まれるメールを連続して受信するという条件にし、前記キーワードを変更することによってセキュリティを向上させることも可能になる。
尚、前記先の着信はメールの例で説明したが、音声着信等、他の着信でもよい。
【００２５】
次に、本発明の第２の実施の形態について説明する。前記第１の実施の形態では、解除条件を満たす複数のメールを受信することによってマナーモードを解除するようにしたが、本第２の実施の形態では、音声着信とメール受信を組み合わせた条件をマナーモード解除条件としている。
図２は、本発明の第２の実施の形態に係る携帯端末のマナーモード解除方法に使用する携帯端末のブロック図で、携帯端末の例として携帯電話２０１の例を示している。尚、図２において、図１と同一機能を有する部分には同一符号を付している。
【００２６】
図２において、携帯電話２０１は、通信部１０２が受信したデータや音声の解析を行うデータ・音声解析部２０２を備えている。また、携帯電話２０１は、データ・音声解析部２０２により解析されたデータ、データ保存部１０４に記憶したデータ、記憶部１０６に記憶したキーワード等を比較して判定するデータ・音声識別部２０３、マナーモードの状態で外部から音声着信を受信したとき、音声メッセージの録音を促すメッセージ（留守録メッセージ）を送信する留守電応答部２０４を備えている。
【００２７】
尚、通信部１０２及び留守電応答部２０４は送信手段を構成している。データ保存部１０４、データ・音声解析部２０２及びデータ・音声識別部２０３は解除許可手段を構成している。マナーモード制御部１０５及びタイマ１０８は解除手段を構成している。また、通信部１０２、留守電応答部２０４、データ保存部１０４、データ・音声解析部２０２、データ・音声識別部２０３、マナーモード制御部１０５及びタイマ１０８はマナーモード制御手段を構成している。その他の構成は図１と同じである。
【００２８】
以上のように構成された携帯端末を用いてマナーモードを解除する方法について、前記第１の実施の形態と相違する部分について説明する。
ユーザは、操作部１１０を操作することによって、携帯電話２０１のマナーモードの設定状態をオンとし、合わせてマナーモードを解除するためのキーワードと所定時間を設定する。
【００２９】
マナーモード制御部１０５は、操作部１１０から入力されたマナーモードをオンにする指示に応答して、報知部１０７の動作をマナーモードに設定すると共に、当該設定状態を記憶部１０６に記憶する。また同時に、マナーモード制御部１０５は、操作部１１０から入力されたキーワード及び所定時間を記憶部１０６に記憶する。前記キーワードはマナーモードを解除するためのキーワードであり、又、前記所定時間は音声着信からマナーモード解除用メールを受信するまでの許容時間である。マナーモード制御部１０５は、音声着信からマナーモード解除用メールを受信するまでの時間が前記所定時間内等の解除条件を満たす場合にマナーモードを解除するように機能する。
【００３０】
報知部１０７がマナーモードに設定された状態で、他の携帯端末（例えば携帯電話）から携帯電話２０１に着信があり、操作部１１０を操作しないで前記着信に応答せずに所定時間経過すると、留守電応答部２０４は通信部１０２を介して、前記他の携帯電話に応答メッセージ（留守録メッセージ）を送信する。
前記他の携帯電話から前記留守録メッセージに対する音声メッセージを通信部１０２が受信すると、データ・音声解析部２０１は、受信した音声メッセージを解析して、音声メッセージに含まれるキーワードをデータ保存部１０４へ保存する。
【００３１】
データ・音声識別部２０３は、記憶部１０６に記憶しているキーワードとデータ保存部１０４に記憶した前記キーワードが一致すると判断すると、解除条件が満たされたときに、マナーモード制御部１０５がマナーモードの解除動作を行うことが可能な状態（マナーモード解除許可状態）にマナーモード制御部１０５を制御する。
マナーモード制御部１０５は、データ・音声識別部２０３からマナーモード解除許可を受けるとタイマ１０８に計時動作を開始させる。
【００３２】
その後、通信部１０２がメール（マナーモード解除用メール）１１３を受信すると、データ・音声解析部２０２により、メールの送信者アドレス、題名、本文を解析する。
データ・音声識別部２０３が、データ保存部１０４に記憶したマナーモード解除用メールに関するデータと前記解析したメール１１３に関するデータとの関係が所定の解除条件を満たすと認識した場合、マナーモード制御部１０５は、報知部１０７のマナーモードを強制的に解除して非マナーモードに移行させる。
【００３３】
前記所定の解除条件としては、例えば、マナーモード制御部１０５がデータ・音声識別部２０３からマナーモード解除許可を受けた後、タイマ１０８が記憶部１０６に記憶した所定時間計時する前に、解除条件を満たす（例えば記憶部１０６に記憶したキーワードを有する）マナーモード解除用メールを受信したこと等を解除条件とすることができる。その他の動作は前記第１の実施の形態と同じである。
【００３４】
以上説明したように本第２の実施の形態によれば、先の着信を受信した後、所定時間内にマナーモード解除用メール１１３を受信したとき、報知部１０７のマナーモードを解除して非マナーモードに切り換える場合に、前記先の着信時の応答メッセージに対する所定の音声メッセージを受信し、前記音声メッセージに所定のキーワードが含まれているとき前記マナーモードを解除可能な状態にし、前記マナーモードの解除可能な状態から所定時間内に前記マナーモード解除用メール１１３を受信したとき、報知部１０７のマナーモードを解除して非マナーモードに切り換えるようにしている。
したがって、前記第１の実施の形態と同様の効果を奏する。また、マナーモードの解除条件として音声とメールの双方を用いるため、誤りが少なく且つ簡単にマナーモードの解除が可能になる等の効果を奏する。
【００３５】
次に、本発明の第３の実施の形態について説明する。前記第２の実施の形態では、所定の音声着信とメールの受信によってマナーモードを解除するようにしたが、本第３の実施の形態では、「着もじ」とメール受信を組み合わせた条件をマナーモード解除条件としている。ここで、着もじサービスは、他の携帯端末から、文字情報付きの着信を受信する株式会社エヌ・ティ・ティ・ドコモのサービスであり、着もじとして所定数の任意の文字（着もじ）を送受信することができるサービスである。
【００３６】
図３は、本発明の第３の実施の形態に係る携帯端末のマナーモード解除方法に使用する携帯端末のブロック図で、携帯端末の例として携帯電話３０１の例を示している。尚、図３において、図１と同一機能を有する部分には同一符号を付している。
図３において、携帯電話３０１は、通信部１０２が受信したデータや着もじの解析を行うデータ・着もじ解析部３０２を備えている。また、携帯電話３０１は、データ・着もじ解析部３０２により解析されたデータ、データ保存部１０４に記憶したデータ、記憶部１０６に記憶したキーワードを比較して判定するデータ・着もじ識別部３０３を備えている。
【００３７】
尚、データ保存部１０４、データ・着もじ解析部３０２及びデータ・着もじ識別部３０３は解除許可手段を構成している。マナーモード制御部１０５及びタイマ１０８は解除手段を構成している。また、データ保存部１０４、データ・着もじ解析部３０２、データ・着もじ識別部３０３、マナーモード制御部１０５及びタイマ１０８はマナーモード制御手段を構成している。その他の構成は図１と同じである。
【００３８】
以上のように構成された携帯端末を用いてマナーモードを解除する方法について、前記第１の実施の形態と相違する部分について説明する。
ユーザは、操作部１１０を操作することによって、携帯電話３０１のマナーモードの設定状態をオンとし、合わせてマナーモードを解除するためのキーワードと所定時間を設定する。
【００３９】
マナーモード制御部１０５は、操作部１１０から入力されたマナーモードをオンにする指示に応答して、報知部１０７の動作をマナーモードに設定すると共に、当該設定状態を記憶部１０６に記憶する。また同時に、マナーモード制御部１０５は、操作部１１０から入力されたキーワード及び所定時間を記憶部１０６に記憶する。前記キーワードはマナーモードを解除するためのキーワードであり、又、前記所定時間は所定の着もじ受信からマナーモード解除用メールを受信するまでの許容時間である。マナーモード制御部１０５は、音声着信からマナーモード解除用メールを受信するまでの時間が前記所定時間内等の解除条件を満たす場合にマナーモードを解除するように機能する。
【００４０】
マナーモードに設定された状態で、携帯電話３０１に対して他の携帯端末（例えば携帯電話）から着もじ付きの音声着信があると、データ・着もじ解析部３０２は、受信した着もじを解析して、着もじに含まれるキーワードをデータ保存部１０４へ保存する。
データ・着もじ識別部３０３は、記憶部１０６に記憶しているキーワードとデータ保存部１０４に記憶した前記キーワードが一致すると判断すると、全ての解除条件が満たされたときに、マナーモード制御部がマナーモードの解除動作を行うことが可能な状態（マナーモード解除許可状態）にマナーモード制御部１０５を制御する。
【００４１】
マナーモード制御部１０５は、データ・着もじ識別部２０３からマナーモード解除許可を受けるとタイマ１０８に計時動作を開始させる。
その後、通信部１０２がメール（マナーモード解除用メール）１１３を受信すると、データ・着もじ解析部３０２により、メールの送信者アドレス、題名、本文を解析する。
データ・着もじ識別部３０３が、データ保存部１０４に記憶した着もじに関するデータ（例えば着もじに含まれるキーワード）と前記解析したメール１１３に関するデータ（例えばメール本文に含まれるキーワード）との関係が所定の解除条件を満たすと認識した場合、マナーモード制御部１０５は、報知部１０７のマナーモードを強制的に解除して非マナーモードにする。
【００４２】
前記所定の解除条件としては、例えば、マナーモード制御部１０５がデータ・着もじ識別部３０３からマナーモード解除許可を受けた後、タイマ１０８が記憶部１０６に記憶した所定時間計時する前に、解除条件を満たす（例えば記憶部１０６に記憶したキーワードを有する）マナーモード解除用メールを受信したことを解除条件とする。その他の動作は前記第１の実施の形態と同じである。
【００４３】
以上説明したように本第３の実施の形態によれば、先の着信を受信した後、所定時間内にマナーモード解除用メール１１３を受信したとき、報知部１０７のマナーモードを解除して非マナーモードに切り換えるとき、先の着信時に受信した着もじに所定文字（所定のキーワード）が含まれている場合に、報知部１０７のマナーモードを解除可能な状態にし、マナーモードの解除可能な状態から所定時間内にマナーモード解除用メール１１３を受信したとき、報知部１０７のマナーモードを解除して非マナーモードに切り換えるように構成されている。
【００４４】
したがって、前記第１の実施の形態と同様の効果を奏することが可能になる。また、マナーモードの解除条件として着もじとメールの双方を用いるため、誤りが少なく且つ簡単にマナーモードの解除が可能になる。
尚、前記各実施の形態において、マナーモード制御部１０５は、マナーモードの解除を所定時間だけ一時的に行った後に再び非マナーモードに戻すように制御してもよく、あるいは、一旦マナーモードを解除すれば、操作部によるマナーモード設定操作が行われない限り、非マナーモードに維持するように制御してもよい。
【００４５】
また、前記各実施の形態では、携帯端末として携帯電話の例で説明したが、ＰＨＳ（Personal Handyphone System）、ＰＤＡ（Personal Data Assistance，Personal Digital Assistants：個人向け携帯型情報通信機器）等の携帯端末であって少なくともメール送受信機能を具備した装置、あるいは、メール送受信機能及び音声通信機能を具備した装置に利用可能である。
【産業上の利用可能性】
【００４６】
携帯電話、ＰＨＳ、ＰＤＡ等の携帯端末であって少なくともメール送受信機能を具備した装置、あるいは、メール送受信機能及び音声通信機能を具備した装置に利用可能である。
【図面の簡単な説明】
【００４７】
【図１】本発明の第１の実施の形態に係る携帯端末のマナーモード解除方法に使用する携帯端末のブロック図である。
【図２】本発明の第２の実施の形態に係る携帯端末のマナーモード解除方法に使用する携帯端末のブロック図である。
【図３】本発明の第３の実施の形態に係る携帯端末のマナーモード解除方法に使用する携帯端末のブロック図である。
【符号の説明】
【００４８】
１０１、２０１、３０１・・・携帯電話
１０２・・・通信部
１０３・・・データ解析部
１０４・・・データ保存部
１０５・・・マナーモード制御部
１０６・・・記憶部
１０７・・・報知部
１０８・・・タイマ
１０９・・・データ識別部
１１０・・・操作部
１１１・・・送受話部
１１２、１１３・・・電子メール
２０２・・・データ・音声解析部
２０３・・・データ・音声識別部
２０４・・・留守電応答部
３０２・・・データ・着もじ解析部
３０３・・・データ・着もじ識別部
【図１】
2010103899.tif 000003
【図２】
2010103899.tif 000004
【図３】
2010103899.tif 000005